(57)【要約】【課題】本発明はダブル配管システムに生じる欠点を解決することを目的とするもので、いかなる設計条件下でも排水時間の短縮が可能となる改良されたサイフォン排水システムを提供するものである。【解決手段】水回り器具から一本の横引き管を床面上に無勾配で配管し、立て管との合流は床面よりも低い位置で行うシステムであって、水回り器具側に太径の管を敷設し、この管より２本の横引き管を接続し、上管が前記太径内に伸びる構造であって、上管に逆流防止機構を備えたことを特徴とするサイフォン排水システム。２２‥太径管、２３‥横引き管（下管）、２４‥横引き管（上管）、Ａ‥逆流防止機構。【選択図】図２
2006312833.tif 000002
【特許請求の範囲】
【請求項１】
水回り器具から一本の横引き管を床面上に無勾配で配管し、立て管との合流は床面よりも低い位置で行うシステムであって、水回り器具側に太径の管を敷設し、この管より２本の横引き管を接続し、上管が前記太径内に伸びる構造であって、上管に逆流防止機構を備えたことを特徴とするサイフォン排水システム。
【請求項２】
逆流防止機構として上管を４ｍ以上とした請求項１記載のサイフォン排水システム。
【請求項３】
逆流防止機構として上管にトラップを備えた請求項１記載のサイフォン排水システム。  
【請求項４】
逆流防止機構として上管に逆止弁を備えた請求項１記載のサイフォン排水システム。
【発明の詳細な説明】
【技術分野】
【０００１】
本発明はサイフォン排水システムにおける排水時間の短縮を目的とした配管方法にかかるものである。
【背景技術】
【０００２】
以下、本発明の排水システムを浴槽の排水を例として説明する。さて、従来の排水システムは浴槽より伸びる横引き管は所定の勾配をもって床上に配設するものであり、この横引き管によって排水時間を調整することは全く想定されていない。従って、機種によっては、浴槽からの排水時間が長くかかりクレームの対象になっていた。更には、浴槽内での水位の低下に伴い極端に排水量が落ちるため、泡切れの悪さ等の問題もあった。
【０００３】
かかる課題を解決するために、本出願人はサイフォン排水システムを提案している（特許文献１）。これは水回り器具からの排水は独立した一本の横引き管のみで行い、この横引き管は床面上に無勾配で単に配置しただけのものであり、立て管との合流は床よりも５０ｃｍ以上低い位置で行うシステムである。この床と合流部と落差Ｈによって横引き管内の水にサイフォン力が働き、これによって横引き管内の水が急激に立て管方向に引かれて排水されるものである。
【０００４】
【特許文献１】特開２０００−２９７４４７号公報
【０００５】
しかしながら、かかるサイフォン排水システムにあっても浴槽のように一度に大量の水が流されるような場合には、そのサイフォン力の発生までの時間が待てず、排水が例えば洗い場側の排水口から吹き出すという逆流現象が生じてしまう欠点があった。このため、大量の排水が予想される箇所ではダブル配管システムを行うことを既に提案した。
【０００６】
図１は既提案の技術内容であり、浴槽の水の排水用のトラップ（通常は洗い場側の排水と共通のトラップ）２１に接続した太径の管２２に対し、２本の横引き管２３、２４を上下に配設したものである。そして、下側の管（以下、下管という）２３を短めにして上側の管（以下、上管という）２４より早く下管２３内が満水となるようにしたもので、これによってサイフォンの発生時間を早めようとするものである。
【０００７】
かかる排水システムによれば、サイフォン発生までの時間が短縮でき排水時間が全体として短縮できるが更に改良すべき点もある。即ち、排水時間の短縮が可能とはなったが、それほど短縮されない場合も生じた。具体的には、排水時間は横引き管の設計条件によって決定されるようであり、横引き管の長さが３ｍ前後の時は排水時間にバラつくという現象が発生した。
【発明の開示】
【発明が解決しようとする課題】
【０００８】
本発明は上記のダブル配管システムに生じる欠点を解決することを目的とするもので、いかなる設計条件下でも排水時間の短縮が可能となる改良されたサイフォン排水システムを提供するものである。
【課題を解決するための手段】
【０００９】
本発明の要旨は、水回り器具から一本の横引き管を床面上に無勾配で配管し、立て管との合流は床面よりも低い位置で行うシステムであって、水回り器具側に太径の管を敷設し、この管より２本の横引き管を接続し、上管が前記太径内に伸びる構造であって、上管に逆流防止機構を備えたことを特徴とするサイフォン排水システムである。
【発明の効果】
【００１０】
上記の構成を有するサイフォン排水システムにあっては、下管が上管からエアを吸い込まない構造にすることで、排水時間の短縮ができたものであり、特に、排水の後半でも安定した排水を確保できることとなったものである。
【発明を実施するための最良の形態】
【００１１】
既に提供したダブル排水システムによれば、サイフォン発生までの時間が短縮でき排水時間が全体として短縮できるが更に改良すべき点もあり、横引き管の長さが長い時は短縮できたが、横引き長さが短い時は短縮できないという現象が起こり、排水性能のよさを採るか、排水時間の早さを採るか選択の必要があつた。具体的には、排水時間は横引き管の設計条件によって決定され、横引き管の長さが３ｍ前後の時は排水時間にバラつきが生じるという現象である。
【００１２】
かかる現象を精査するに、サイフォン排水により浴槽２本配管を行った際、条件によって排水時間が殆ど短縮されない条件と、大きく短縮される条件が生じる。即ち、前者の配水時間が殆ど短縮されない場合は、横引き管の長さ（以下、Ｌｈという）が短い時であり、上管の排水完了後、下管によって生じる負圧により上管に溜まった水が吸い上げられ、上管内の水が空になり、そこからエアを吸うような条件であることが判明した。
【００１３】
図１で言えば、浴槽の水の排水用のトラップ２１に接続した太径の管２２に対し、短めに配設された下管２３にサイフォンが発生し、下管２３内の排水が終了した際、その負圧（水を吸引する力）によって、本来的にはかかる負圧によってトラップ２１内の水を吸い出す力となるべきであるが、上管２４内の水を吸い出し、エアを吸い込んでしまう現象、即ち、太径の管２２内に逆流させ、かつ、エアを下管２３内に吸い込む現象である。
【００１４】
そして、後者の場合は、Ｌｈが長い時であり、上管の排水完了後、下管によって生じる負圧により上管に溜まった水が吸い上げようとするが、吸い取りきれず、上管配管内に水が残るような条件である。この場合、上管からエアを抜くことができず、下管で生じる負庄は器具の方から水を吸いこもうとする力に回るため排水時間の短縮がされるものと推察される。
【００１５】
本発明は、かかる現象より、排水時間を確実に短縮するために、上管排水完了後下管によって生じる負圧により、上管から空気を吸わないような構造、即ち、逆流防止機構を備えたものである。
【００１６】
下管の負圧によって上管からエアを吸わないような構造とする逆流防止機構の具体例として、その第１は、上管と立て管までの直線距離が短い場合でもこれに関係なく大回りの配管をし、例えば、横引き管の長さＬｈを４ｍ以上とるように設置することによって実質的に逆流防止機能をもたらすものである。
【００１７】
逆流防止機構の第２例は、上管に管トラップを設置し、排水完了後必ず水が溜まるような形状にするものである。
【００１８】
逆流防止機構の第３例は、上管の継手部、又は配管に逆止弁構造を設置する。ものである。
【００１９】
実験の結果では、従来排水において満水からの排水時間に約７分かかった浴槽では、サイフォン排水によるダブル排水システムでは、２０秒程度の短縮しかできないが、上管からエアを吸い込まない構造にすることで、１分以上の排水時間の短縮ができることとなり、排水の後半の方でも安定した排水量を確保できることとなったものである。
【実施例】
【００２０】
以下、本発明を図面をもって更に説明する。図２は本発明の第１実施例であり、浴槽の水の排水用のトラップに接続した太径の管（管径：５０Ａ）２２に対し、２本の横引き管（管径：２０Ａ）２３、２４を上下に配設したものである。そして、下管２３を短めにして上管２４より早く下管２３内が満水となるようにしたもので、これによってサイフォンの発生時間を早めようとするものである。そして、この例では、上管２４を４ｍ以上として逆流防止機構としたものである。即ち、管２２と立て管（図示せず）との間隔に関係なく、例えば上管２４をル−プ状Ａとなし、下管２３によって生じる負圧に対して吸い込まれないだけの水を上管（横引き管）２４内に溜めてしまうという技術である。
【００２１】
図３は本発明の第２実施例であり、浴槽の水の排水用のトラップに接続した太径の管（管径：５０Ａ）２２に対し、２本の横引き管（管径：２０Ａ）２３、２４を上下に配設したもので、この例では、上管２４にトラップＢを備えて逆流防止機構としたものである。即ち、太径の管２２とトラップＢとの間に水を溜めて、下管２３によって生じる負圧に対して吸い込まれないだけの水を上管（横引き管）２４内に確保する技術である。トラップＢの制限は特にない。
【００２２】
図４は本発明の第３実施例であり、この例では、上管２４の回路中に逆止弁Ｃを備えて逆流防止機構としたものである。即ち、太径の管２２と逆止弁Ｃとの間に水を溜めて、下管２３によって生じる負圧に対して吸い込まれないだけの水を上管（横引き管）２４内に確保する技術である。逆止弁Ｃの制限は特にない。
【産業上の利用可能性】
【００２３】
本発明はかかる構成としたことにより、上管側よりサイフォン排水時にエアが立て管側から流入しないようにして排水時間の短縮ができたものであり、特に、排水の後半でも安定した排水を確保できることとなったものである。このため、要すれば、サイフォン排水システム全般に渡って利用でき、排水能力をより高めたものである。
【図面の簡単な説明】
【００２４】
【図１】図１は既提案のサイフォン排水システムにおけるダブル配管システムの状態を示す概要図である。
【図２】図２は本発明の排水システムの第１例を示す図である。
【図３】図３は本発明の排水システムの第２例を示す図である。
【図４】図４は本発明の排水システムの第３例を示す図である。
【符号の説明】
【００２５】
２１‥排水トラップ、
２２‥太径管、
２３‥横引き管（下管）、
２４‥横引き管（上管）、
Ａ、Ｂ、Ｃ‥逆流防止機構。
【図１】
2006312833.tif 000003
【図２】
2006312833.tif 000004
【図３】
2006312833.tif 000005
【図４】
2006312833.tif 000006